(57)【要約】【課題】粒状感の少ない画像を表示する。【解決手段】複数の画素を有する表示パネルと、複数の画素のうち一の画素から第１期間に出射された光が到達する投射面上の領域に、一の画素と所定方向において隣り合う他の画素から第２期間に出射された光が到達するように表示パネルから出射された光の光路をシフトさせる光路シフト部とを備え、複数の画素は、第１の光を出射する第１の画素と、第２の光を出射する第２の画素と、第１の画素と所定方向に隣り合い第３の光を出射する第３の画素と、第２の画素と所定方向に隣り合い第４の光を出射する第４の画素とを含み、第２の光は第１の光よりも波長が長く、第３の光は第１の光よりも波長が長く第２の光よりも波長が短く、第４の光は第１の光よりも波長が長く第３の光よりも波長が短いことを特徴とするプロジェクター。【選択図】図５
2019053241.tif 000002
【特許請求の範囲】
【請求項１】
複数の画素を有する表示パネルと、
前記複数の画素のうち一の画素から第１期間に出射された光が到達する投射面上の領域に、前記複数の画素のうち前記一の画素と所定方向において隣り合う他の画素から第２期間に出射された光が到達するように、前記表示パネルから出射された光の光路をシフトさせる光路シフト部と、
を備え、
前記複数の画素は、
第１の光を出射する第１の画素と、
第２の光を出射する第２の画素と、
前記第１の画素と前記所定方向に隣り合い、第３の光を出射する第３の画素と、
前記第２の画素と前記所定方向に隣り合い、第４の光を出射する第４の画素と、
を含み、
前記第２の光は、前記第１の光よりも波長が長く、
前記第３の光は、前記第１の光よりも波長が長く、前記第２の光よりも波長が短く、
前記第４の光は、前記第１の光よりも波長が長く、前記第３の光よりも波長が短い、
ことを特徴とするプロジェクター。
【請求項２】
前記第３の光は、前記第１の光及び前記第２の光よりも視感度が高く、
前記第４の光は、前記第１の光及び前記第２の光よりも視感度が高い、
ことを特徴とする、請求項１に記載のプロジェクター。
【請求項３】
前記第１の光は、青色光であり、
前記第２の光は、赤色光であり、
前記第３の光は、緑色光のうち所定の波長よりも長い波長を有する光であり、
前記第４の光は、緑色光のうち所定の波長よりも短い波長を有する光である、
ことを特徴とする、請求項１または２に記載のプロジェクター。
【請求項４】
前記第１の光、前記第２の光、前記第３の光、及び、前記第４の光を含む光を出射する光源と、
前記光源から出射された光を、
前記第１の光に対応する波長を有する第１の分離光と、
前記第２の光に対応する波長を有する第２の分離光と、
前記第３の光に対応する波長を有する第３の分離光と、
前記第４の光に対応する波長を有する第４の分離光と、に分離する分離光学系と、
を備え、
前記第１の画素は、前記第１の分離光を変調して前記第１の光を出射し、
前記第２の画素は、前記第２の分離光を変調して前記第２の光を出射し、
前記第３の画素は、前記第３の分離光を変調して前記第３の光を出射し、
前記第４の画素は、前記第４の分離光を変調して前記第４の光を出射する、
ことを特徴とする、請求項１乃至３のうち何れか１項に記載のプロジェクター。
【請求項５】
前記分離光学系は、
所定の波長以上の光を反射する第１の反射板を用いて、
前記光源から出射される光を、
前記第１の分離光及び前記第４の分離光を含む第５の分離光と、
前記第２の分離光及び前記第３の分離光を含む第６の分離光と、に分離する、第１の分離光学系と、
前記所定の波長を含む所定の波長領域の光を反射する第２の反射板を用いて、
前記第５の分離光を、前記第１の分離光と前記第４の分離光とに分離し、
前記第６の分離光を、前記第２の分離光と前記第３の分離光とに分離する、第２の分離光学系と、
を備える、
ことを特徴とする、請求項４に記載のプロジェクター。
【請求項６】
前記第１の光に対応する波長を有する第１の出射光を出射する第１の光源と、
前記第２の光に対応する波長を有する第２の出射光を出射する第２の光源と、
前記第３の光に対応する波長を有する第３の出射光を出射する第３の光源と、
前記第４の光に対応する波長を有する第４の出射光を出射する第４の光源と、
を備え、
前記第１の画素は、前記第１の出射光を変調して前記第１の光を出射し、
前記第２の画素は、前記第２の出射光を変調して前記第２の光を出射し、
前記第３の画素は、前記第３の出射光を変調して前記第３の光を出射し、
前記第４の画素は、前記第４の出射光を変調して前記第４の光を出射する、
ことを特徴とする、請求項１乃至３のうち何れか１項に記載のプロジェクター。
【発明の詳細な説明】
【技術分野】
【０００１】
本発明は、プロジェクターに関する。
【背景技術】
【０００２】
従来から、複数の画素を有する表示パネルを用いた表示装置が各種提案されている。例えば、特許文献１には、赤色画素と青色画素と緑色画素とを含む複数の画素を具備する表示パネルから出射される光を、スクリーン等の投射面に投射することで、表示パネルに表示される画像を投射面に拡大表示する、単板式プロジェクターが記載されている。
【先行技術文献】
【特許文献】
【０００３】
【特許文献１】特開２０１５−０２５８３５号公報
【発明の概要】
【発明が解決しようとする課題】
【０００４】
ところで、従来の技術のように、表示装置が、赤色画素と青色画素と緑色画素とを含む複数の画素を用いて画像を表示する場合、当該表示装置により表示される画像には、赤色画素に対応する赤色のドット（単位表示領域）と、青色画素に対応する青色のドットと、緑色画素に対応する緑色のドットと、が含まれる。このため、表示装置の利用者が、表示装置により表示される画像を構成する各色のドットを視認してしまい、画像に粒状感が生じる可能性がある。特に、表示装置により表示される画像が、白色の領域を含む場合、表示装置の利用者は、当該白色の領域において、青色ドットを視認する可能性がある。そして、この場合、画像の白色の領域において、粒状感が強くなり、白色の領域を含む画像の高品位な表示が困難になることがあった。
【０００５】
本発明は、上述した事情を鑑みてなされたものであり、粒状感の少ない画像を表示する技術の提供を、解決課題の一つとする。
【課題を解決するための手段】
【０００６】
以上の課題を解決するために、本発明の好適な態様に係るプロジェクターは、複数の画素を有する表示パネルと、前記複数の画素のうち一の画素から第１期間に出射された光が到達する投射面上の領域に、前記複数の画素のうち前記一の画素と所定方向において隣り合う他の画素から第２期間に出射された光が到達するように、前記表示パネルから出射された光の光路をシフトさせる光路シフト部と、を備え、前記複数の画素は、第１の光を出射する第１の画素と、第２の光を出射する第２の画素と、前記第１の画素と前記所定方向に隣り合い、第３の光を出射する第３の画素と、前記第２の画素と前記所定方向に隣り合い、第４の光を出射する第４の画素と、を含み、前記第２の光は、前記第１の光よりも波長が長く、前記第３の光は、前記第１の光よりも波長が長く、前記第２の光よりも波長が短く、前記第４の光は、前記第１の光よりも波長が長く、前記第３の光よりも波長が短い、ことを特徴とする。
【０００７】
この態様おいて、光路シフト部は、第１の光が第１期間に到達する投射面上の領域（「第１投射領域」と称する）に対して、第３の光が第２期間に到達するように光路をシフトさせ、また、第２の光が第１期間に到達する投射面上の領域（「第２投射領域」と称する）に対して、第４の光が第２期間に到達するように光路をシフトさせる。このため、この態様によれば、投射面の各領域においてある１種類の光が継続的に投射され続けることを防止することが可能となり、投射面の各領域においてある１種類の光が継続的に投射され続ける場合と比較して、投射面に表示される画像における粒状感を低減することができる。
なお、上述した態様において、前記第３の光は、前記第１の光及び前記第２の光よりも視感度が高く、前記第４の光は、前記第１の光及び前記第２の光よりも視感度が高い、ことを特徴としてもよい。
この態様によれば、第１の光が、第１〜第４の光の中で最も波長の短い光であり、また、第３の光が、第１の光及び第２の光よりも視感度の高い光のうち長波長側の光であるため、第１の光と第３の光とが投射される第１投射領域において、白色または白色に近い色を表示することが可能となる。同様に、本実施形態では、第２の光が、第１〜第４の光の中で最も波長の長い光であり、また、第４の光が、第１の光及び第２の光よりも視感度の高い光のうち短波長側の光であるため、第２の光と第４の光とが投射される第２投射領域において、白色または白色に近い色を表示することが可能となる。このため、この態様では、投射面に表示される画像に白色の領域がある場合においても、粒状感を抑えた表示が可能である。
【０００８】
上述したプロジェクターにおいて、前記第１の光は、青色光であり、前記第２の光は、赤色光であり、前記第３の光は、緑色光のうち所定の波長よりも長い波長を有する光であり、前記第４の光は、緑色光のうち所定の波長よりも短い波長を有する光である、ことを特徴としてもよい。
【０００９】
この態様によれば、第１投射領域に対して、長波長側の緑色光と青色光とが投射され、第２投射領域に対して、短波長側の緑色光と赤色光とが投射されるため、第１投射領域または第２投射領域に対して青色光のみが投射される場合と比較して、投射面に表示される画像における粒状感を低減することができる。
【００１０】
上述したプロジェクターは、前記第１の光、前記第２の光、前記第３の光、及び、前記第４の光を含む光を出射する光源と、前記光源から出射された光を、前記第１の光に対応する波長を有する第１の分離光と、前記第２の光に対応する波長を有する第２の分離光と、前記第３の光に対応する波長を有する第３の分離光と、前記第４の光に対応する波長を有する第４の分離光と、に分離する分離光学系と、を備え、前記第１の画素は、前記第１の分離光を変調して前記第１の光を出射し、前記第２の画素は、前記第２の分離光を変調して前記第２の光を出射し、前記第３の画素は、前記第３の分離光を変調して前記第３の光を出射し、前記第４の画素は、前記第４の分離光を変調して前記第４の光を出射する、ことを特徴としてもよい。
【００１１】
この態様によれば、第１〜第４の光を単一の光源から得るため、第１〜第４の光を複数の光源から得る場合と比較して、プロジェクターの構成を簡素化することが可能となる。
【００１２】
上述したプロジェクターにおいて、前記分離光学系は、所定の波長以上の光を反射する第１の反射板を用いて、前記光源から出射される光を、前記第１の分離光及び前記第４の分離光を含む第５の分離光と、前記第２の分離光及び前記第３の分離光を含む第６の分離光と、に分離する、第１の分離光学系と、前記所定の波長を含む所定の波長領域の光を反射する第２の反射板を用いて、前記第５の分離光を、前記第１の分離光と前記第４の分離光とに分離し、前記第６の分離光を、前記第２の分離光と前記第３の分離光とに分離する、第２の分離光学系と、を備える、ことを特徴としてもよい。
【００１３】
この態様によれば、第１〜第４の光を単一の光源から得るため、第１〜第４の光を複数の光源から得る場合と比較して、プロジェクターの構成を簡素化することが可能となる。
【００１４】
上述したプロジェクターは、前記第１の光に対応する波長を有する第１の出射光を出射する第１の光源と、前記第２の光に対応する波長を有する第２の出射光を出射する第２の光源と、前記第３の光に対応する波長を有する第３の出射光を出射する第３の光源と、前記第４の光に対応する波長を有する第４の出射光を出射する第４の光源と、を備え、前記第１の画素は、前記第１の出射光を変調して前記第１の光を出射し、前記第２の画素は、前記第２の出射光を変調して前記第２の光を出射し、前記第３の画素は、前記第３の出射光を変調して前記第３の光を出射し、前記第４の画素は、前記第４の出射光を変調して前記第４の光を出射する、ことを特徴としてもよい。
【００１５】
この態様によれば、第１〜第４の光を第１〜第４の光源から得るため、第１〜第４の光を単一の光源から得る場合と比較して、各光に対応する色を、より正確に表示することが可能となる。
【図面の簡単な説明】
【００１６】
【図１】実施形態に係るプロジェクター１の構成の一例を説明するための説明図である。
【図２】分離光学系３０の構成の一例を示す模式図である。
【図３】ダイクロイックミラー３１１による光の反射特性の一例を示す説明図である。
【図４】ダイクロイックミラー３２１による光の反射特性の一例を示す説明図である。
【図５】液晶パネル５０の構成の一例を示す平面図である。
【図６】マイクロレンズアレイ４２と画素Ｐxの位置関係の一例を説明するための説明図である。
【図７】第１領域Ａr1及び第２領域Ａr2の一例を説明するための説明図である。
【図８】画素Ｐxから出射された光の光路の一例を説明するための説明図である。
【図９】画素Ｐxから出射された光の光路の一例を説明するための説明図である。
【図１０】各単位領域ｄにおける表示の一例を説明するための説明図である。
【図１１】変形例１に係る液晶パネル５０Ａの構成の一例を示す平面図である。
【図１２】変形例１に係る各単位領域ｄにおける表示の一例を説明するための説明図である。
【図１３】変形例２に係るプロジェクター１Ｂの構成の一例を説明するための説明図である。
【発明を実施するための形態】
【００１７】
以下、本発明を実施するための形態について図面を参照して説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
＜＜Ａ．実施形態＞＞
以下、本実施形態に係るプロジェクター１を説明する。
【００１９】
＜＜１．プロジェクターの構成＞＞
図１は、本実施形態に係るプロジェクター１の構成の一例を説明するための説明図である。
図１に例示するように、プロジェクター１は、可視光を含む光ＬWを出射する光源１０と、光源１０から出射された光ＬWの照度分布や偏光方向を整える偏光調整光学系２０と、偏光調整光学系２０から出射された光ＬWを互いに波長が異なる複数の光に分離する分離光学系３０と、分離光学系３０から出射された複数の光が入射する入射光学系４０と、入射光学系４０から出射された光を変調する透過型の液晶パネル５０と、液晶パネル５０から出射された光の光路をシフトさせる光路シフト素子６０と、光路シフト素子６０から出射された光をスクリーンＳＣに投射する投射光学系７０と、プロジェクター１の各部を制御する制御部１００と、を備える。
【００２０】
光源１０は、赤色光ＬRと緑色光ＬGと青色光ＬBとを含む白色光である光ＬWを出射する。なお、光源１０としては、例えば、高圧水銀ランプ、または、ハロゲンランプ等を採用することができる。
【００２１】
偏光調整光学系２０は、光源１０から出射された光ＬWを略平行化する凹レンズ２１と、光ＬWの照度分布を均一化するインテグレーター光学系であるレンズアレイ２２及び２３と、光ＬWに含まれるＰ偏光及びＳ偏光を、Ｐ偏光またはＳ偏光の一方に揃える偏光変換素子２４とを含む。なお、以下では、説明の便宜上、偏光調整光学系２０から出射される光を、光源１０から出射される光と区別せずに、光ＬWと称する。
【００２２】
分離光学系３０は、光ＬWを、青色光ＬBと、青色光ＬBよりも長い波長を有する光である緑色光ＬGのうち、所定の波長λ1よりも短い波長を有する青緑色光ＬGBと、緑色光ＬGのうち、所定の波長λ1よりも長い波長を有する黄緑色光ＬGRと、緑色光ＬGよりも長い波長を有する光である赤色光ＬRと、に分離する。なお、分離光学系３０により分離された光のうち、青色光ＬBの有する波長領域に含まれる波長を有する光は「第１の分離光」の一例であり、赤色光ＬRの有する波長領域に含まれる波長を有する光は「第２の分離光」の一例であり、黄緑色光ＬGRの有する波長領域に含まれる波長を有する光は「第３の分離光」の一例であり、青緑色光ＬGBの有する波長領域に含まれる波長を有する光は「第４の分離光」の一例である。本実施形態において、黄緑色光ＬGRは、青色光ＬB及び赤色光ＬRよりも視感度の高い光であり、青緑色光ＬGBは、青色光ＬB及び赤色光ＬRよりも視感度の高い光である。ここで、「視感度」とは、人間の目によって光を感じ取る強さの度合いを示す値である。一般的に、緑色光ＬGは、青色光ＬB及び赤色光ＬRよりも視感度が高い。
以下、図２乃至図４を参照しつつ、分離光学系３０による光ＬWの分離の態様の一例を説明する。
【００２３】
図２は、分離光学系３０による光ＬWの分離の態様の一例を説明するための説明図である。図２に示すように、分離光学系３０は、ダイクロイックミラー３１１及び反射ミラー３１２を有する光分離光学系３１と、ダイクロイックミラー３２１及び反射ミラー３２２を有する光分離光学系３２とを含んで構成される。なお、本実施形態において、光分離光学系３１は「第１の分離光学系」の一例であり、ダイクロイックミラー３１１は「第１の反射板」の一例であり、光分離光学系３２は「第２の分離光学系」の一例である。ダイクロイックミラー３２１は「第２の反射板」の一例である。
【００２４】
図３は、ダイクロイックミラー３１１による光の反射特性の一例を説明するための説明図である。
図３に示すように、ダイクロイックミラー３１１は、所定の波長λ1よりも短い波長の光を透過し、所定の波長λ1よりも長い波長の光を反射する。また、反射ミラー３１２は、全ての波長の光を反射する。このため、光ＬWは、光分離光学系３１により、所定の波長λ1よりも短い波長を有する青色光ＬB及び青緑色光ＬGBを含む分離光ＬBWと、所定の波長λ1よりも長い波長を有する赤色光ＬR及び黄緑色光ＬGRを含む分離光ＬRWと、に分離される。ここで、分離光ＬBWは「第５の分離光」の一例であり、分離光ＬRWは「第６の分離光」の一例である。
なお、本実施形態では、図３に示すように、青色光ＬBが、波長λ2よりも短い波長の光であり、緑色光ＬGが、波長λ2よりも長く波長λ3よりも短い波長の光であり、赤色光ＬRが、波長λ3よりも長い波長の光であることとする。すなわち、本実施形態では、青緑色光ＬGBが、波長λ2よりも長く波長λ1よりも短い波長の光であり、黄緑色光ＬGRが、波長λ1よりも長く波長λ3よりも短い波長の光であることとする。また、本実施形態では、一例として、波長λ1が５５０ｎｍであり、波長λ2が４９５ｎｍであり、また、波長λ3が６００ｎｍである場合を想定する。但し、波長λ1は、５３０ｎｍ〜５７０ｎｍの範囲であればよく、波長λ2は、４８０ｎｍ〜５１０ｎｍの範囲であればよく、また、波長λ3は、５９０ｎｍ〜６５０ｎｍの範囲であればよい。
【００２５】
図４は、ダイクロイックミラー３２１による光の反射特性の一例を説明するための説明図である。
図４に示すように、ダイクロイックミラー３２１は、波長が波長λ2よりも長く波長λ3よりも短い光、すなわち、緑色光ＬG（「所定の波長領域の光」の一例）を反射する。つまり、ダイクロイックミラー３２１は、分離光ＬBWのうち、波長λ2よりも短い波長を有する青色光ＬBを透過し、波長λ2よりも長い波長を有する青緑色光ＬGBを反射する。また、ダイクロイックミラー３２１は、分離光ＬRWのうち、波長λ3よりも長い波長を有する赤色光ＬRを透過し、波長λ3よりも短い波長を有する黄緑色光ＬGRを反射する。そして、反射ミラー３２２は、ダイクロイックミラー３２１を透過した青色光ＬB及び赤色光ＬRを反射する。このため、分離光ＬBW及び分離光ＬRWは、光分離光学系３２により、青色光ＬB、青緑色光ＬGB、黄緑色光ＬGR、及び、赤色光ＬRに分離される。
【００２６】
なお、図２では、光分離光学系３１が、＋Ｘ方向に進行する光ＬWを＋Ｚ方向に反射し、光分離光学系３２が、＋Ｚ方向に進行する分離光ＬBW及び分離光ＬRWを＋Ｙ方向に反射する、という態様を図示している。
但し、厳密には、分離光ＬRW及び分離光ＬBWは、互いに異なる進行方向を有しており、また、青色光ＬB、青緑色光ＬGB、黄緑色光ＬGR、及び、赤色光ＬRは、互いに異なる進行方向を有する。
本実施形態では、一例として、分離光ＬBWが、＋Ｚ方向を−Ｘ側に所定角度だけ傾かせた方向に進行し、分離光ＬRWが、＋Ｚ方向を＋Ｘ側に所定角度だけ傾かせた方向に進行する、という態様を想定する。また、本実施形態では、一例として、青色光ＬBが、＋Ｙ方向を−Ｘ側に所定角度だけ傾かせたうえで更に＋Ｚ側に所定角度だけ傾かせた方向に進行し、赤色光ＬRが、＋Ｙ方向を＋Ｘ側に所定角度だけ傾かせたうえで更に＋Ｚ側に所定角度だけ傾かせた方向に進行し、青緑色光ＬGBが、＋Ｙ方向を−Ｘ側に所定角度だけ傾かせたうえで更に−Ｚ側に所定角度だけ傾かせた方向に進行し、黄緑色光ＬGRが、＋Ｙ方向を＋Ｘ側に所定角度だけ傾かせたうえで更に−Ｚ側に所定角度だけ傾かせた方向に進行する。
という態様を想定する。
【００２７】
説明を図１に戻す。プロジェクター１は、上述のとおり、分離光学系３０から出射された青色光ＬB、青緑色光ＬGB、黄緑色光ＬGR、及び、赤色光ＬRを、液晶パネル５０に入射させるための入射光学系４０と、入射光学系４０から入射された光を変調する液晶パネル５０と、液晶パネル５０に対して制御信号Ｃtpを供給する制御部１００と、を備える。
【００２８】
図５は、液晶パネル５０を、光の入射側（例えば−Ｙ側）から平面視した平面図である。
図５に示すように、液晶パネル５０には、複数の画素Ｐxがマトリクス状に配列されている。より具体的には、液晶パネル５０には、Ｖ1方向にＮ列の画素Ｐxが配列され、Ｖ2方向にＭ行の画素Ｐxが配列されている（Ｍ及びＮは２以上の自然数）。なお、本実施形態では、一例として、Ｖ1方向が−Ｘ方向に略一致し、Ｖ2方向が＋Ｚ方向に略一致する場合を想定する。
各画素Ｐxは、各単位期間Ｔにおいて、制御部１００から供給される制御信号Ｃtpに基づいて透過率が制御される。なお、制御部１００は、図示省略した上位装置から供給される画像信号Ｖdに基づいて、制御信号Ｃtpを生成する。本実施形態では、一例として、画像信号Ｖdが、スクリーンＳＣ上に表示すべき画像を表す信号であることとする。より具体的には、画像信号Ｖdは、例えば、スクリーンＳＣに表示される画像を、複数の表示領域に区分し、各表示領域において表示すべき色彩を指定する信号であってもよい。この場合、画像信号Ｖdは、例えば、各表示領域で表示すべき色彩を、ＲＧＢの３成分により規定してもよい。換言すれば、本実施形態に係る画像信号Ｖdは、各表示領域で表示すべき色彩を指定する色彩指定情報を含む。
【００２９】
図５に示すように、液晶パネル５０に設けられた複数の画素Ｐxは、複数の画素ＰxB（「第１の画素」の一例）と、複数の画素ＰxR（「第２の画素」の一例）と、複数の画素ＰxGR（「第３の画素」の一例）と、複数の画素ＰxGB（「第４の画素」の一例）とを含む。ここで、画素ＰxBとは、青色光ＬBが入射し、当該青色光ＬBを変調するための画素Ｐxである。画素ＰxRとは、赤色光ＬRが入射し、当該赤色光ＬRを変調するための画素Ｐxである。画素ＰxGBとは、青緑色光ＬGBが入射し、当該青緑色光ＬGBを変調するための画素Ｐxである。画素ＰxGRとは、黄緑色光ＬGRが入射し、当該黄緑色光ＬGRを変調するための画素Ｐxである。
【００３０】
図５に示すように、本実施形態に係る液晶パネル５０は、Ｖ1方向において画素ＰxB及び画素ＰxRが交互が並ぶ行と、Ｖ1方向において画素ＰxGB及び画素ＰxGRが交互に並ぶ行とを有する。すなわち、本実施形態に係る液晶パネル５０において、画素ＰxBのＶ1方向には画素ＰxRが隣り合うように配置され、画素ＰxRのＶ1方向には画素ＰxBが隣り合うように配置され、画素ＰxGBのＶ1方向には画素ＰxGRが隣り合うように配置され、画素ＰxGRのＶ1方向には画素ＰxGBが隣り合うように配置される。
また、本実施形態に係る液晶パネル５０は、Ｖ2方向において画素ＰxB及び画素ＰxGBが交互に並ぶ列と、Ｖ2方向において画素ＰxR及び画素ＰxGRが交互に並ぶ列とを有する。すなわち、本実施形態に係る液晶パネル５０において、画素ＰxBのＶ2方向には画素ＰxGBが隣り合うように配置され、画素ＰxGBのＶ2方向には画素ＰxBが隣り合うように配置され、画素ＰxRのＶ2方向には画素ＰxGRが隣り合うように配置され、画素ＰxGRのＶ2方向には画素ＰxRが隣り合うように配置される。
以下では、液晶パネル５０に配置される複数の画素Ｐxのうち、ｍ行ｎ列の画素ＰxBと、ｍ行（ｎ＋１）列の画素ＰxRと、（ｍ＋１）行ｎ列の画素ＰxGBと、（ｍ＋１）行（ｎ＋１）列の画素ＰxGRとを、ｍ行ｎ列の画素ブロックと称する（ここで、ｍは、１≦ｍ≦Ｍ−１を満たす自然数。ｎは、１≦ｎ≦Ｎ−１を満たす自然数）。また、以下では、ｍ行ｎ列の画素Ｐxを、画素Ｐx[m][n]と称する場合がある。なお、本実施形態において、画像信号Ｖdの有する各色彩指定情報に基づいて、各画素ブロックが表示すべき色彩が決定されることとしてもよい。
【００３１】
図１に示すように、入射光学系４０は、集光レンズ４１とマイクロレンズアレイ４２とを備える。
このうち集光レンズ４１は、分離光学系３０から出射された光を、マイクロレンズアレイ４２に向けて集光する。また、マイクロレンズアレイ４２は、集光レンズ４１から出射された光のうち、青色光ＬBを画素ＰxBに入射させ、赤色光ＬRを画素ＰxRに入射させ、青緑色光ＬGBを画素ＰxGBに入射させ、黄緑色光ＬGRを画素ＰxGRに入射させる。
【００３２】
図６は、マイクロレンズアレイ４２と画素Ｐxとの位置関係の一例を説明するための説明図である。マイクロレンズアレイ４２は複数のマイクロレンズ４２１を備える。各マイクロレンズ４２１は、液晶パネル５０に設けられた１つの画素ブロックに対応するように設けられる。具体的には、マイクロレンズアレイ４２には、−Ｙ方向からマイクロレンズアレイ４２及び液晶パネル５０を見た場合に、各マイクロレンズ４２１の一部または全部と、各画素ブロックの一部または全部とが重なるように、複数のマイクロレンズ４２１が設けられる。
上述のとおり、青色光ＬB、青緑色光ＬGB、黄緑色光ＬGR、及び、赤色光ＬRは、互いに異なる進行方向を有する。このため、各マイクロレンズ４２１は、当該マイクロレンズ４２１に入射する光のうち、青色光ＬBを、当該マイクロレンズ４２１に対応する画素ブロックに属する画素ＰxBに入射させ、赤色光ＬRを、当該画素ブロックに属する画素ＰxRに入射させ、青緑色光ＬGBを、当該画素ブロックに属する画素ＰxGBに入射させ、黄緑色光ＬGRを、当該画素ブロックに属する画素ＰxGRに入射させることができる。
【００３３】
液晶パネル５０は、入射光学系４０から入射された光を制御信号Ｃtpに基づいて変調し、変調後の光を光路シフト素子６０に対して出射する。より具体的には、液晶パネル５０のうち、画素ＰxBは、当該画素ＰxBに入射した青色光ＬBを変調した青色光ＨBを出射し、画素ＰxRは、当該画素ＰxRに入射した赤色光ＬRを変調した赤色光ＨRを出射し、画素ＰxGRは、当該画素ＰxGRに入射した黄緑色光ＬGRを変調した黄緑色光ＨGRを出射し、画素ＰxGBは、当該画素ＰxGBに入射した青緑色光ＬGBを変調した青緑色光ＨGBを出射する。ここで、赤色光ＨRは、青色光ＨBよりも波長が長く、黄緑色光ＨGRは、青色光ＨBよりも波長が長く、且つ、赤色光ＨRよりも波長が短く、また、青緑色光ＨGBは、青色光ＨBよりも波長が長く、且つ、黄緑色光ＨGRよりも波長が短い。また、黄緑色光ＨGRは、青色光ＨB及び赤色光ＨRよりも視感度が高く、青緑色光ＨGBは、青色光ＨB及び赤色光ＨRよりも視感度が高い。本実施形態において、青色光ＨBの有する波長領域に含まれる波長を有する光は「第１の光」の一例であり、赤色光ＨRの有する波長領域に含まれる波長を有する光は「第２の光」の一例であり、黄緑色光ＨGRの有する波長領域に含まれる波長を有する光は「第３の光」の一例であり、青緑色光ＨGBの有する波長領域に含まれる波長を有する光は「第４の光」の一例である。なお、第１の光は、第１の分離光を画素ＰxBにより変調した光であってもよく、第２の光は、第２の分離光を画素ＰxRにより変調した光であってもよく、第３の光は、第３の分離光を画素ＰxGRにより変調した光であってもよく、第４の光は、第４の分離光を画素ＰxGBにより変調した光であってもよい。
なお、図示は省略するが、液晶パネル５０の出射側（＋Ｙ方向）には、互いに異なる進行方向を有する青色光ＨB、赤色光ＨR、青緑色光ＨGB、及び、黄緑色光ＨGRを、略平行にするためのマイクロレンズアレイと、略並行となった青色光ＨB、赤色光ＨR、青緑色光ＨGB、及び、黄緑色光ＨGRを、光路シフト素子６０に向けて入射させるための集光レンズと、が設けられていてもよい。
また、本実施形態では、画素ＰxBは青色光ＨBを出射し、画素ＰxRは赤色光ＨRを出射し、画素ＰxGRは黄緑色光ＨGRを出射し、画素ＰxGBは青緑色光ＨGBを出射するが、本発明はこのような態様に限定されるものではない。画素ＰxBは少なくとも第１の光を出射すればよく、画素ＰxRは少なくとも第２の光を出射すればよく、画素ＰxGRは少なくとも第３の光を出射すればよく、画素ＰxGBは少なくとも第４の光を出射すればよい。
【００３４】
＜＜２．プロジェクターの動作＞＞
本実施形態では、プロジェクター１の動作期間が、時間軸上で交互に繰り返される単位期間Ｔ1及び単位期間Ｔ2を含む場合を想定する。ここで、単位期間Ｔ1は「第１の期間」の一例であり、単位期間Ｔ2は「第２の期間」の一例である。以下では、単位期間Ｔ1及び単位期間Ｔ2を、単位期間Ｔと総称する。単位期間Ｔは、例えば、液晶パネル５０が１枚の画像を表示するのに要する期間である。但し、本発明はこのような態様に限定されるものではなく、単位期間Ｔは、例えば、液晶パネル５０の垂直走査期間であってもよい。
【００３５】
本実施形態において、光路シフト素子６０は、液晶パネル５０から出射された光の光路を、単位期間Ｔ毎に変化させる。具体的には、光路シフト素子６０は、液晶パネル５０に設けられた複数の画素Ｐxから出射された光が、単位期間Ｔ1においては、スクリーンＳＣ上の第１領域Ａr1に到達し、単位期間Ｔ2においては、スクリーンＳＣ上の第２領域Ａr2に到達するように、光路を設定する。以下では、説明の便宜上、ある１つの画素Ｐxから出射された光が、単位期間Ｔにおいて到達する領域を単位領域ｄ（「単位表示領域」の一例）と称する。
【００３６】
図７は、スクリーンＳＣにおける第１領域Ａr1及び第２領域Ａr2を説明するための説明図である。図７に示すように、本実施形態において、第１領域Ａr1は、Ｓ1方向において第２列から第（Ｎ＋１）列までのＮ列の範囲であって、Ｓ2方向において第２行から第（Ｍ＋１）行までのＭ行の範囲にある、Ｍ×Ｎ個の単位領域ｄである。また、本実施形態において、第２領域Ａr2は、Ｓ1方向において第１列から第Ｎ列までのＮ列の範囲であって、Ｓ2方向において第１行から第Ｍ行までのＭ行の範囲にある、Ｍ×Ｎ個の単位領域ｄである。
なお、本実施形態では、説明の便宜上、Ｓ1方向はＶ1方向と略一致し、Ｓ2方向はＶ2方向と略一致することとする。また、以下では、ｍ行ｎ列の単位領域ｄを単位領域ｄ[m][n]と称する。また、以下では、青色光ＨBが到達する単位領域ｄを単位領域ｄBと称し、赤色光ＨRが到達する単位領域ｄを単位領域ｄRと称し、青緑色光ＨGBが到達する単位領域ｄを単位領域ｄGBと称し、黄緑色光ＨGRが到達する単位領域ｄを単位領域ｄGRと称する場合がある。
【００３７】
図８及び図９は、液晶パネル５０に設けられた画素Ｐxから出射された光の光路の、単位期間Ｔ毎の変化を説明するための説明図である。
図８及び図９に示すように、光路シフト素子６０は、単位期間Ｔ1において、画素Ｐx[m][n]から出射された光が、単位領域ｄ[m+1][n+1]に到達し、画素Ｐx[m+1][n+1]から出射された光が、単位領域ｄ[m+2][n+2]に到達する一方で、単位期間Ｔ2において、画素Ｐx[m][n]から出射された光が、単位領域ｄ[m][n]に到達し、画素Ｐx[m+1][n+1]から出射された光が、単位領域ｄ[m+1][n+1]に到達するように、光路を設定する。すなわち、光路シフト素子６０は、単位期間Ｔ1において、画素Ｐx[m][n]から出射された光と、単位期間Ｔ2において、画素Ｐx[m+1][n+1]から出射された光とが、共に、単位領域ｄ[m+1][n+1]に到達するように、各画素Ｐxから出射された光の光路をシフトさせる。
以下では、単位期間Ｔ1において一の画素Ｐxから出射された光が到達した単位領域ｄに対して、単位期間Ｔ2において他の画素Ｐxから出射された光が到達する場合に、一の画素Ｐxから他の画素Ｐxに向かう方向を、シフト方向ＶSと称する。すなわち、本実施形態において、画素Ｐx[m][n]から画素Ｐx[m+1][n+1]に向かう方向が、シフト方向ＶSに該当する。換言すれば、本実施形態における光路シフト素子６０は、画素Ｐx[m][n]から単位期間Ｔ1に出射された光が到達する単位領域ｄ[m+1][n+1]に対して、画素Ｐx[m][n]とシフト方向ＶSにおいて隣り合う画素Ｐx[m+1][n+1]から単位期間Ｔ2に出射された光が到達するように、各画素Ｐxから出射された光の光路をシフトさせる。
【００３８】
図５に示すように、液晶パネル５０において、画素ＰxBと画素ＰxGRとがシフト方向ＶSにおいて隣り合い、画素ＰxRと画素ＰxGBとがシフト方向ＶSにおいて隣り合う。
このため、図８に示すように、画素Ｐx[m][n]が画素ＰxBである場合には、画素Ｐx[m][n]とシフト方向ＶSにおいて隣り合う画素Ｐx[m+1][n+1]は画素ＰxGRとなる。そして、画素Ｐx[m][n]が画素ＰxBである場合には、単位期間Ｔ1において、画素Ｐx[m][n]から出射された青色光ＨBと、単位期間Ｔ2において、画素Ｐx[m+1][n+1]から出射された黄緑色光ＨGRとが、共に、単位領域ｄ[m+1][n+1]に到達することになる。この場合、単位領域ｄ[m+1][n+1]は、単位期間Ｔ1において単位領域ｄBとなり、単位期間Ｔ2において単位領域ｄGRとなる。
また、図９に示すように、画素Ｐx[m][n]が画素ＰxRである場合には、画素Ｐx[m][n]とシフト方向ＶSにおいて隣り合う画素Ｐx[m+1][n+1]は画素ＰxGBとなる。そして、画素Ｐx[m][n]が画素ＰxRである場合には、単位期間Ｔ1において、画素Ｐx[m][n]から出射された赤色光ＨRと、単位期間Ｔ2において、画素Ｐx[m+1][n+1]から出射された青緑色光ＨGBとが、共に、単位領域ｄ[m+1][n+1]に到達することになる。この場合、単位領域ｄ[m+1][n+1]は、単位期間Ｔ1において単位領域ｄRとなり、単位期間Ｔ2において単位領域ｄGBとなる。
【００３９】
このように、本実施形態では、スクリーンＳＣ上において、単位領域ｄBと単位領域ｄGRとが単位期間Ｔ毎に交互に繰り返される単位領域ｄと、単位領域ｄRと単位領域ｄGBとが単位期間Ｔ毎に交互に繰り返される単位領域ｄと、が存在することになる。
具体的には、図１０に示すように、単位期間Ｔ1において、単位領域ｄ[m][n]が単位領域ｄBである場合、単位期間Ｔ2において、単位領域ｄ[m][n]は単位領域ｄGRとなる。また、この場合、単位期間Ｔ1において、単位領域ｄ[m][n+1]が単位領域ｄRとなり、単位期間Ｔ2において、単位領域ｄ[m][n+1]が単位領域ｄGBとなる。また、この場合、単位期間Ｔ1において、単位領域ｄ[m+1][n]が単位領域ｄGBとなり、単位期間Ｔ2において、単位領域ｄ[m+1][n]が単位領域ｄRとなる。また、この場合、単位期間Ｔ1において、単位領域ｄ[m+1][n+1]が単位領域ｄGRとなり、単位期間Ｔ2において、単位領域ｄ[m+1][n+1]が単位領域ｄBとなる。
【００４０】
＜＜３．実施形態の結論＞＞
以上において説明したように、本実施形態において、スクリーンＳＣ上の複数の単位領域ｄは、青色光ＨBと黄緑色光ＨGRとが交互に到達する単位領域ｄと、赤色光ＨRと青緑色光ＨGBとが交互に到達する単位領域ｄとを有する。このため、本実施形態では、スクリーンＳＣ上の各単位領域ｄが、単独で白色または白色に近い色を表示することができる。よって、本実施形態では、例えば、赤色光が複数の単位期間Ｔに亘り到達する単位領域ｄと、緑色光が複数の単位期間Ｔに亘り到達する単位領域ｄと、青色光が複数の単位期間Ｔに亘り到達する単位領域ｄと、からなる３つの単位領域ｄにより白を表示する場合と比較して、高解像度で白色を表示することが可能となる。
【００４１】
また、本実施形態では、スクリーンＳＣ上の各単位領域ｄに対して、単一の色の光が、複数の単位期間Ｔに亘り連続して到達することを防止することができる。例えば、本実施形態では、スクリーンＳＣ上の各単位領域ｄに対して、青色光が、複数の単位期間Ｔに亘り連続して到達することを防止することができる。このため、本実施形態では、例えば、スクリーンＳＣにおいて白色を表示する場合に、青色光が到達する単位領域ｄが黒点として視認されることを防止することが可能となり、スクリーンＳＣに表示される画像における粒状感を低減することが可能となる。
【００４２】
また、本実施形態では、プロジェクター１が単一の液晶パネル５０を供える。このため、本実施形態によれば、例えば、プロジェクター１が、赤色光に対応する液晶パネルと、緑色光に対応する液晶パネルと、青色光に対応する液晶パネルと、を備える場合と比較して、プロジェクター１の構造を簡素化することが可能となる。
【００４３】
＜＜Ｂ．変形例＞＞
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【００４４】
＜＜変形例１＞＞
上述した実施形態では、図５に示すように、液晶パネル５０において、複数の画素Ｐxが、画素ＰxBと画素ＰxRとがＶ1方向において隣り合い、画素ＰxGBと画素ＰxGRとがＶ1方向において隣り合い、画素ＰxBと画素ＰxGBとがＶ2方向において隣り合い、且つ、画素ＰxRと画素ＰxGRとがＶ2方向において隣り合うように配列されているが、本発明はこのような態様に限定されるものではなく、複数の画素Ｐxは、画素ＰxBと画素ＰxGRとがシフト方向ＶSにおいて隣り合い、画素ＰxRと画素ＰxGBとがシフト方向ＶSにおいて隣り合うように配列されていればよい。
また、上述した実施形態では、シフト方向ＶSは、画素Ｐx[m][n]から画素Ｐx[m+1][n+1]に向かう方向であるが、本発明はこのような態様に限定されるものではなく、シフト方向ＶSは任意の方向でよい。
【００４５】
図１１は、本変形例における液晶パネル５０Ａ上の複数の画素Ｐxの配列を示す図である。図１１に示すように、本変形例では、液晶パネル５０Ａにおいて、複数の画素Ｐxが、画素ＰxBと画素ＰxGRとがＶ1方向において隣り合い、画素ＰxGBと画素ＰxRとがＶ1方向において隣り合い、画素ＰxBと画素ＰxGBとがＶ2方向において隣り合い、且つ、画素ＰxRと画素ＰxGRとがＶ2方向において隣り合うように配列されている。また、図１１に示すように、本変形例では、シフト方向ＶSが、Ｖ1方向と略一致するように、光路シフト素子６０が各画素Ｐxから出射された光の光路をシフトする。
この場合、スクリーンＳＣ上においては、図１２に示すように、単位期間Ｔ1において、単位領域ｄ[m][n]が単位領域ｄBである場合には、単位期間Ｔ2において、単位領域ｄ[m][n]は単位領域ｄGRとなる。また、この場合、単位期間Ｔ1において、単位領域ｄ[m][n+1]が単位領域ｄGRとなり、単位期間Ｔ2において、単位領域ｄ[m][n+1]が単位領域ｄBとなる。また、この場合、単位期間Ｔ1において、単位領域ｄ[m+1][n]が単位領域ｄGBとなり、単位期間Ｔ2において、単位領域ｄ[m+1][n]が単位領域ｄRとなる。また、この場合、単位期間Ｔ1において、単位領域ｄ[m+1][n+1]が単位領域ｄRとなり、単位期間Ｔ2において、単位領域ｄ[m+1][n+1]が単位領域ｄGBとなる。
従って、図１１及び図１２に示す例においても、スクリーンＳＣ上の複数の単位領域ｄは、青色光ＨBと黄緑色光ＨGRとが交互に到達する単位領域ｄと、赤色光ＨRと青緑色光ＨGBとが交互に到達する単位領域ｄとを有することになる。このため、図１１及び図１２に示す例においても、スクリーンＳＣ上の各単位領域ｄが、単独で白色または白色に近い色を表示することができる。
【００４６】
＜＜変形例２＞＞
上述した実施形態及び変形例では、青色光ＬBの有する波長領域と青緑色光ＬGBの有する波長領域とは互いに重ならず、青緑色光ＬGBの有する波長領域と黄緑色光ＬGRの有する波長領域とは互いに重ならず、黄緑色光ＬGRの有する波長領域と赤色光ＬRの有する波長領域とは互いに重ならない場合を想定したが、本発明はこのような態様に限定されるものではない。青色光ＬBの有する波長領域の少なくとも一部と、青緑色光ＬGBの有する波長領域の少なくとも一部とは、互いに重なっていてもよいし、青緑色光ＬGBの有する波長領域の少なくとも一部と、黄緑色光ＬGRの有する波長領域の少なくとも一部とは、互いに重なっていてもよいし、黄緑色光ＬGRの有する波長領域の少なくとも一部と、赤色光ＬRの有する波長領域の少なくとも一部とは、互いに重なっていてもよい。
また、上述した実施形態及び変形例では、青色光ＨBの有する波長領域と青緑色光ＨGBの有する波長領域とは互いに重ならず、青緑色光ＨGBの有する波長領域と黄緑色光ＨGRの有する波長領域とは互いに重ならず、黄緑色光ＨGRの有する波長領域と赤色光ＨRの有する波長領域とは互いに重ならない場合を想定したが、本発明はこのような態様に限定されるものではない。青色光ＨBの有する波長領域の少なくとも一部と、青緑色光ＨGBの有する波長領域の少なくとも一部とは、互いに重なっていてもよいし、青緑色光ＨGBの有する波長領域の少なくとも一部と、黄緑色光ＨGRの有する波長領域の少なくとも一部とは、互いに重なっていてもよいし、黄緑色光ＨGRの有する波長領域の少なくとも一部と、赤色光ＨRの有する波長領域の少なくとも一部とは、互いに重なっていてもよい。
なお、本変形例においても、青色光ＨBの有する波長領域に含まれる波長を有する光は「第１の光」の一例であり、赤色光ＨRの有する波長領域に含まれる波長を有する光は「第２の光」の一例であり、黄緑色光ＨGRの有する波長領域に含まれる波長を有する光は「第３の光」の一例であり、青緑色光ＨGBの有する波長領域に含まれる波長を有する光は「第４の光」の一例である。但し、本変形例において、第２の光は、第１の光よりも波長が長く、第３の光は、第１の光よりも波長が長く、且つ、第２の光よりも波長が短く、また、第４の光は、第１の光よりも波長が長く、且つ、第３の光よりも波長が短いことが好ましい。更に、本変形例において、第３の光は、第１の光及び第２の光よりも視感度が高く、第４の光は、第１の光及び第２の光よりも視感度が高いことが好ましい。
【００４７】
＜＜変形例３＞＞
上述した実施形態及び変形例では、プロジェクター１が光ＬWを出射する光源１０を備えるが、本発明はこのような態様に限定されるものではなく、プロジェクター１は、互いに異なる波長の光を出射する複数の光源を有していてもよい。
【００４８】
図１３は、本変形例に係るプロジェクター１Ｂの構成の一例を示す説明図である。図１３に示すプロジェクター１Ｂは、光ＬWを出射する光源１０の代わりに、青色光ＬBを出射する光源１０Ｂ（「第１の光源」の一例）、赤色光ＬRを出射する光源１０Ｒ（「第２の光源」の一例）、黄緑色光ＬGRを出射する光源１０ＧＲ（「第３の光源」の一例）、及び、青緑色光ＬGBを出射する光源１０ＧＢ（「第４の光源」の一例）の、４つの光源を備える点と、当該４つの光源と１対１に対応する４つの偏光調整光学系２０を備える点と、分離光学系３０の代わりに、光路調整光学系８０を備える点と、において、図１に示すプロジェクター１と相違する。光路調整光学系８０及び入射光学系４０は、光源１０Ｂから出射された青色光ＬBが画素ＰxBに入射し、光源１０Ｒから出射された赤色光ＬRが画素ＰxRに入射し、光源１０ＧＲから出射された黄緑色光ＬGRが画素ＰxGRに入射し、光源１０ＧＢから出射された青緑色光ＬGBが画素ＰxGBに入射するように、各光源から出射された光の光路を調整する。
なお、本変形例において、光源１０Ｂから出射された青色光ＬBの有する波長領域に含まれる波長を有する光は「第１の出射光」の一例であり、光源１０Ｒから出射された赤色光ＬRの有する波長領域に含まれる波長を有する光は「第２の出射光」の一例であり、光源１０ＧＲから出射された黄緑色光ＬGRの有する波長領域に含まれる波長を有する光は「第３の出射光」の一例であり、光源１０ＧＢから出射された青緑色光ＬGBの有する波長領域に含まれる波長を有する光は「第４の出射光」の一例である。
【００４９】
本変形例では、画素ＰxBに入射する青色光ＬBと、画素ＰxRに入射する赤色光ＬRと、画素ＰxGRに入射する黄緑色光ＬGRと、画素ＰxGBに入射する青緑色光ＬGBとを、それぞれ専用の光源で生成しているため、各光に対応する色を精度良く表示することが可能となる。
【００５０】
なお、本変形例において、４つの光源１０Ｂ、光源１０Ｒ、光源１０ＧＲ、及び、光源１０ＧＢから出射される４種類の光（青色光ＬB、赤色光ＬR、黄緑色光ＬGR、及び、青緑色光ＬGB）は、互いに異なる波長を有する光であるが、本発明はこのような態様に限定されるものではない。
例えば、４つの光源から出射される光は、色度図（CIExy色度図。「色空間」の一例）において、互いに異なる領域に位置する光であってもよい。一例として、青色光ＬBは、色度図において、「ｙ≧−２．１５ｘ−０．３５」且つ「ｙ≦−０．３１ｘ＋０．４３」を満たす光であり、赤色光ＬRは、色度図において、「ｙ≧−０．１６ｘ−０．３８」且つ「ｙ≦−０．８２ｘ＋０．０７」を満たす光であり、黄緑色光ＬGRは、色度図において、「ｙ≧−０．８２ｘ＋０．０７」且つ「ｙ≧−２８．２０ｘ＋９．１５」を満たす光であり、青緑色光ＬGBは、色度図において、「ｙ≧−０．３１ｘ＋０．４３」且つ「ｙ≦−２８．２０ｘ＋９．１５」を満たす光であってもよい。
【００５１】
＜＜変形例４＞＞
上述した実施形態及び変形例において、液晶パネル５０に設けられた各画素Ｐxは、入射した光の有する波長領域と略同じ波長領域を有する光を出射するが、本発明はこのような態様に限定されるものではなく、入射した光の有する波長領域のうち、一部の波長領域のみを有する光を出射するものであってもよい。例えば、各画素Ｐxは、当該画素Ｐxにおいて表示すべき色に対応するカラーフィルターを具備していてもよい。この場合、各画素Ｐxに入射する光は、白色光であってもよい。
【００５２】
＜＜変形例５＞＞
上述した実施形態及び変形例において、画像信号Ｖdは、画素ブロックを１単位として、プロジェクター１が表示すべき色彩を指定するが、本発明はこのような態様に限定されるものではなく、画像信号Ｖdは単位領域を１単位として、プロジェクター１が表示すべき色彩を指定してもよい。
【００５３】
＜＜変形例６＞＞
上述した実施形態及び変形例において、分離光学系３０は、複数のダイクロイックミラー（３１１、３２１）を含んで構成され、光ＬWを、当該複数のダイクロイックミラーにより、青色光ＬB、赤色光ＬR、黄緑色光ＬGR、及び、青緑色光ＬGBに分離するが、本発明はこのような態様に限定されるものではなく、分離光学系３０は、例えば、ダイクロイックミラーの代わりに分光プリズムを備えていてもよい。
例えば、本変形例において、プロジェクター１は、青色光ＬBと青緑色光ＬGBとを含む光を出射する光源１０ＧＢＢと、赤色光ＬRと黄緑色光ＬGRとを含む光を出射する光源１０ＧＲＲと、第１の分光プリズム、及び、第２の分光プリズムを含む分離光学系３０とを備え、第１の分光プリズムは、光源１０ＧＢＢから出射された光を、青色光ＬBと青緑色光ＬGBとに分離し、第２の分光プリズムは、光源１０ＧＲＲから出射された光を、赤色光ＬRと黄緑色光ＬGRとに分離してもよい。
【符号の説明】
【００５４】
１…プロジェクター、１０…光源、２０…偏光調整光学系、３０…分離光学系、３１…光分離光学系、３２…光分離光学系、３１１…ダイクロイックミラー、３２１…ダイクロイックミラー、４０…入射光学系、５０…液晶パネル、６０…光路シフト素子、７０…投射光学系、８０…光路調整光学系、１００…制御部、ｄ…単位領域、Ｐx…画素、ＰxB…画素、ＰxR…画素、ＰxGB…画素、ＰxGR…画素、ＳＣ…スクリーン。
【図１】
2019053241.tif 000003
【図２】
2019053241.tif 000004
【図３】
2019053241.tif 000005
【図４】
2019053241.tif 000006
【図５】
2019053241.tif 000007
【図６】
2019053241.tif 000008
【図７】
2019053241.tif 000009
【図８】
2019053241.tif 000010
【図９】
2019053241.tif 000011
【図１０】
2019053241.tif 000012
【図１１】
2019053241.tif 000013
【図１２】
2019053241.tif 000014
【図１３】
2019053241.tif 000015